(57)【要約】【課題】  腹部に効果的な刺激を与えることができると共に、安定した姿勢で使用できる、排便、排尿促進器具を提供する。【解決手段】  排便時等に腹部を押圧して刺激を与える排便、排尿促進器具１１であって、該排便、排尿促進器具１１は、所定長さの支柱１２と、該支柱１２の上端部１２ａに設けられた把手部１３と、該把手部１３又は前記支柱１２に設けられた突き棒１４と、該突き棒１４の先端部１４ａに設けられた腹当て部１５とを有する。【選択図】      図１
2006320383.tif 000002
【特許請求の範囲】
【請求項１】
排便時等に腹部を押圧して刺激を与える排便、排尿促進器具であって、
該排便、排尿促進器具は、所定長さの支柱と、該支柱の上端部に設けられた把手部と、該把手部又は前記支柱に設けられた突き棒と、該突き棒の先端部に設けられた腹当て部とを少なくとも有することを特徴とする排便、排尿促進器具。
【請求項２】
前記把手部は、所定の広さをもって形成されることを特徴とする請求項１に記載の排便、排尿促進器具。
【請求項３】
前記把手部には、雑誌立てが延設されていることを特徴とする請求項１に記載の排便、排尿促進器具。
【請求項４】
前記把手部の両側には係止部を設け、該係止部に、腰を保持する保持バンドを係止できるように構成したこと特徴とする請求項１に記載の排便、排尿促進器具。
【請求項５】
前記突き棒は、伸縮自在に形成されていることを特徴とする請求項１に記載の排便、排尿促進器具。
【請求項６】
前記突き棒は、折り畳み自在に形成されていることを特徴とする請求項１に記載の排便、排尿促進器具。
【請求項７】
前記支柱は、伸縮自在に形成されていることを特徴とする請求項１に記載の排便、排尿促進器具。
【請求項８】
前記支柱の下端部には、滑り止めが取り付けられていることを特徴とする請求項１に記載の排便、排尿促進器具。
【発明の詳細な説明】
【技術分野】
【０００１】
本発明は、排便、排尿促進器具に関するものであり、更には、腹筋及び股関節の鍛錬器具としても有効に使用できる排便、排尿促進器具に関するものである。
【背景技術】
【０００２】
従来、この種の排便、排尿促進器具としては、次のような構成の器具が知られている。この器具は、所要長さの軸棒と、この軸棒の中央位置に設けられた球状部とから構成される（特許文献１参照）。
【０００３】
このような構成の器具は、和式便所に座ったときに使用し、両手で軸棒の両端部を把持して、球状部を腹部に押し付けることにより、腹部に刺激を与えて便の出を促進させるのである。
【特許文献１】実開昭５５−５９７６号公報
【発明の開示】
【発明が解決しようとする課題】
【０００４】
この従来例の器具においては、両腕の腕力だけで球状部を腹部に押し付けるので、腹部への押圧力をコントロールし難く、使用時の姿勢の安定性が悪く、使い勝手が良くないという欠点を有している。
【０００５】
従って、従来例における器具においては、腹部への押圧力の強弱を自在にコントロールできるようにすること、安定した姿勢で使用できるようにすることと、使い勝手を良好にすることとに解決しなければならない課題を有している。
【課題を解決するための手段】
【０００６】
前記従来例の課題を解決する具体的手段として本発明は、排便時等に腹部を押圧して刺激を与える排便、排尿促進器具であって、該排便、排尿促進器具は、所定長さの支柱と、該支柱の上端部に設けられた把手部と、該把手部又は前記支柱に設けられた突き棒と、該突き棒の先端部に設けられた腹当て部とを少なくとも有することを特徴とする排便、排尿促進器具を提供するものである。
【０００７】
また、前記把手部は、所定の広さをもって形成される構成としたものであり、そして、前記把手部には、雑誌立てが延設されている構成としたものであり、更に、前記把手部の両側には係止部を設け、該係止部に、腰を保持する保持バンドを係止できるように構成したものであり、更にまた、前記突き棒は、伸縮自在に形成されている構成としたものであり、また、前記突き棒は、折り畳み自在に形成されている構成としたものであり、そして、前記支柱は、伸縮自在に形成されている構成としたものであり、更に、前記支柱の下端部には、滑り止めが取り付けられている構成としたものである。
【発明の効果】
【０００８】
本発明に係る排便、排尿促進器具は、排便時等に腹部を押圧して刺激を与える排便、排尿促進器具であって、該排便、排尿促進器具は、所定長さの支柱と、該支柱の上端部に設けられた把手部と、該把手部又は前記支柱に設けられた突き棒と、該突き棒の先端部に設けられた腹当て部とを少なくとも有することによって、洋式便所等に座ったときに、腹当て部を腹部に押し当てて刺激を与え、便及び尿の出を促進させることができる。
このとき、支柱の下端部を床面に当接して支点とし、両手で把手部を持って、腹当て部を腹部に押圧するので、腹部への押圧力の強弱を自在にコントロールできて、排便等の促進を活発にできる。同様に、支柱を床面に当接して両手で把手部を持つので、安定した姿勢で使用でき、使い勝手が極めて良好であるという種々の優れた効果を奏する。
【０００９】
更には、椅子やロッキングチェア等に座った状態で両足を伸ばして、上記の要領で腹当て部を腹部に押圧しつつ、腹式呼吸に合わせて腹筋運動を行えば、腹筋及び股関節の鍛錬にも有効であるという種々の優れた効果を奏する。
【００１０】
また、把手部は、所定の広さをもって形成されることによって、両手を把手部の上に載せた状態で保持できるので、ゆったりと安定した姿勢で使用できるという優れた効果を奏する。
【００１１】
そして、把手部には、雑誌立てが延設されていることによって、雑誌等を立て掛けて読みながら使用できるという優れた効果を奏する。
【００１２】
更に、把手部の両側には係止部を設け、該係止部に、腰を保持する保持バンドを係止できるように構成したことによって、保持バンドを腰に回して保持できるので、極めて安定した状態で使用できるという優れた効果を奏する。
【００１３】
更にまた、突き棒は、伸縮自在に形成されていることによって、使用者の体型等に合わせて伸縮させて、最適な長さで使用できるという優れた効果を奏する。
【００１４】
また、突き棒は、折り畳み自在に形成されていることによって、コンパクトに折り畳めるので、収納等に便利であると共に、ステッキとしても使用できるという種々の優れた効果を奏する。
【００１５】
そして、支柱は、伸縮自在に形成されていることによって、使用者の座高等に合わせて伸縮させて、最適な長さで使用できるという優れた効果を奏する。
【００１６】
更に、支柱の下端部には、滑り止めが取り付けられていることによって、床面に当接した支柱がズレないという優れた効果を奏する。
【発明を実施するための最良の形態】
【００１７】
次に、本発明の実施の形態について図面を参照しながら説明する。まず、図１及び図２において、符号１１は排便、排尿促進器具を示し、この排便、排尿促進器具１１は、所定長さの支柱１２と、この支柱１２の上端部１２ａに設けられた把手部１３と、この把手部１３又は前記支柱１２に設けられた突き棒１４と、この突き棒１４の先端部１４ａに設けられた腹当て部１５とから構成される。
【００１８】
支柱１２は、複数のパイプ１２ｂ、１２ｃ、１２ｄから成り、これらの各パイプ１２ｂ、１２ｃ、１２ｄがロックナット１６を介して伸縮自在に形成されている。従って、使用者の座高等に合わせて最適な長さで使用できる。
また、支柱１２の下端部１２ｅには、ゴムキャップ等の滑り止め１７が取り付けられており、床面に当接した支柱１２が容易にズレないようになっている。
なお、支柱１２は、必ずしも１本に限定されるものではなく、例えば三脚式等のように複数本設けたり、あるいは、種々の形状に形成してもよい。
【００１９】
把手部１３は、支柱１２の上端部１２ａに取り付けられている。即ち、把手部１３の底部に設けられ且つ支柱１２の上端部１２ａを挟持する一対の挟持片１８を、支持ボルト１９が挿通している（図２参照）。把手部１３の取付構造がこのように構成されるので、支柱１２に対して把手部１３が、支持ボルト１９を中心にして回動できるようになっているのである。
なお、把手部１３と支柱１２との取付構造は、例えば溶接やネジ止め等の手段で固定してもよいことは勿論である。
【００２０】
また、把手部１３は、平板形状で所定の広さをもって形成される。このように形成されることにより、両手を把手部１３の上に載せた状態で保持できるので、ゆったりと安定した姿勢で使用できることとなる。
なお、把手部１３の形状は、例えば棒状やハンドル形状等、種々の形状に形成してもよい。
【００２１】
把手部１３の端部には、取付板２０を介して、雑誌立て２１が延設されている。この雑誌立て２１が設けられていることにより、雑誌やマンガ等を立て掛けて読みながら使用できることとなる。
【００２２】
把手部１３の両側には、係止部２２が設けられており、この係止部２２には、保持バンド２３が係止できる。つまり、図１に示すように、保持バンド２３の両端部に設けられた係止孔２４を係止部２２に係止させて、保持バンド２３を使用者の腰に回して保持できるようになっており、このように使用した場合には安定した状態で使用できる。
【００２３】
把手部１３には、受け部材２５が設けられており、この受け部材２５は、扁平で角パイプ状に形成されている。また、受け部材２５には貫通孔２５ａを有し、この貫通孔２５ａに保持ピン２６が挿抜自在に挿入される。
【００２４】
突き棒１４は、扁平の棒状又は丸棒状に形成されており、途中に折曲部１４ｂ、１４ｃが設けられている。また、突き棒１４の基部１４ｄ側には、複数の小孔２７が形成されている。そして、突き棒１４の基部１４ｄを受け部材２５に挿入すると共に、貫通孔２５ａと小孔２７とを合わせて、保持ピン２６が挿入される。
突き棒１４がこのように構成されるので、突き棒１４を自在に出し入れして伸縮させ、適宜位置の小孔２７に対して保持ピン２６を挿入して、突き棒１４の長さを適宜に調節できる。従って、使用者の体型等に合わせて最適な長さで使用できる。
【００２５】
腹当て部１５は、筒状に形成されると共に、外周に布やウレタン等の軟らかい部材を取り付けることが望ましい。なお、腹当て部１５は、固定式だけでなく、回転可能なローラー式にしてもよく、あるいは、バイブレーション可能な電動式にしてもよい。
更に、腹当て部１５のその他の形状としては、腹当て部１５の中央位置に、図示しない長さ調整棒を設け、この長さ調整棒を突き棒１４の先端部１４ａに挿入自在に形成し、適宜の位置でピン止め固定できるようにすれば、腹当て部１５を突き棒１４と同様に伸縮自在に形成できる（図示せず）。
【００２６】
以上のような構成の排便、排尿促進器具１１は、図３に示すように、洋式便所２８等に座ったときに、支柱１２の下端部１２ｅを床面に当接して、両手で把手部１３を持って、腹当て部１５を腹部に押し当てて刺激を与え、便及び尿の出を促進させることができる。このとき、腹部への押圧力の強弱を自在にコントロールできるので、使用者の状況に応じて排便等の促進を活発にできる。
【００２７】
次に、図４から図５に第２実施例に係る排便、排尿促進器具３１を示す。この第２実施例において、前記第１実施例の排便、排尿促進器具１１と同一部分には同一符号を付してその詳細は省略する。
【００２８】
この排便、排尿促進器具３１は、支柱１２の上端部１２ａに棒状の把手部３２が設けられている。
【００２９】
また、支柱１２には、ピン３３を支点にして折曲自在なＬ字部材３４が設けられており、このＬ字部材３４の先端部には、パイプ状の受け部３５が形成されている。この受け部３５に突き棒３７の基部３７ａが挿入される。また、受け部３５には、貫通孔３５ａを有し、この貫通孔３５ａに保持ピン３６が挿抜自在に挿入される。
【００３０】
突き棒３７は、棒状に形成されていると共に、基部３７ａ側に複数の小孔３８が形成されている。そして、突き棒３７の基部３７ａを受け部３５に挿入し、貫通孔３５ａと小孔３８とを合わせて、保持ピン３６が挿入される。従って、突き棒３７は長さを適宜に調節できる。
【００３１】
以上のように突き棒３７は、折曲自在なＬ字部材３４に連結しているので、このＬ字状部３４を折り曲げて、突き棒３７を折り畳むことができる（図５参照）。従って、排便、排尿促進器具３１をステッキ状にコンパクトにすることができるのである。
【産業上の利用可能性】
【００３２】
本発明の排便、排尿促進器具１１、３１は、便及び尿の出を促進させるだけでなく、椅子やロッキングチェア等に座った状態で両足を伸ばして、既述の要領で腹当て部１５を腹部に押し当て、腹式呼吸に合わせて腹筋運動を行えば、腹筋及び股関節の鍛錬にも有効である。
【図面の簡単な説明】
【００３３】
【図１】本発明の第１実施例に係る排便、排尿促進器具１１の斜視図である。
【図２】本発明の第１実施例に係る排便、排尿促進器具１１の側面図である。
【図３】排便、排尿促進器具１１の使用方法を説明する説明図である。
【図４】本発明の第２実施例に係る排便、排尿促進器具３１の斜視図である。
【図５】本発明の第２実施例に係る排便、排尿促進器具３１の突き棒３７を折り畳んだ状態の側面図である。
【符号の説明】
【００３４】
１１  排便、排尿促進器具
１２  支柱
１２ａ上端部
１２ｂ、１２ｃ、１２ｄ  パイプ
１２ｅ  下端部
１３  把手部
１４  突き棒
１４ａ先端部
１４ｂ、１４ｃ  折曲部
１４ｄ基部
１５  腹当て部
１６  ロックナット
１７  滑り止め
１８  挟持片
１９  支持ボルト
２０  取付板
２１  雑誌立て
２２  係止部
２３  保持バンド
２４  係止孔
２５  受け部材
２５ａ貫通孔
２６  保持ピン
２７  小孔
２８  洋式便所
３１  排便、排尿促進器具
３２  把手部
３３  ピン
３４  Ｌ字部材
３５  受け部
３５ａ貫通孔
３６  保持ピン
３７  突き棒
３７ａ基部
３８  小孔
【図１】
2006320383.tif 000003
【図２】
2006320383.tif 000004
【図３】
2006320383.tif 000005
【図４】
2006320383.tif 000006
【図５】
2006320383.tif 000007